(57)【要約】      （修正有）【課題】容置空間内の液体が漏れ出すことを防ぐことができる餐箱の構造を提供する。【解決手段】餐箱１は、容器１０上部に嵌合される１つの蓋２０とを含み、該容器は内部に隔壁１１を有することにより、隔離された複数の容置空間１１１，１１２，１１３を具備することができ、該複数の容置空間のうち、１つの容置空間１１３にはスープを入れることができ、その他の容置空間にはご飯或いはおかずを入れることができ、又、該蓋は容器の各容置空間に相対する位置に凹槽区２３ａ，２３ｂ，２３ｃを有し、該蓋の凹槽区の底部２２１及び周辺２２２と容器の凹槽区に相対する容置空間の隔壁とが密着嵌合できる構造である。【選択図】図１
0003116507.tif 000002
【実用新案登録請求の範囲】
【請求項１】
１つの容器（１０）と容器（１０）上部に嵌合される１つの蓋（２０）とを含み、
該容器（１０）は内部に隔壁（１１）を有することにより、隔離された複数の容置空間（１１１）（１１２）（１１３）を具備することができ、
該複数の容置空間のうち、１つの容置空間（１１３）にはスープを入れることができ、
その他の容置空間（１１１）（１１２）にはご飯或いはおかずを入れることができ、
該蓋（２０）は１つの上表面（２１）と１つの下表面（２２）とを含み、
その特徴は、
該蓋（２０）は容器(10)の各容置空間（１１１）（１１２）（１１３）に相対する位置に凹槽区（２３ａ）（２３ｂ）（２３ｃ）を有し、
該蓋（２０）の凹槽区（２３ａ）（２３ｂ）（２３ｃ）の底部（２２１）及び周辺（２２２）と容器（１０）の凹槽区（２３ａ）（２３ｂ）（２３ｃ）に相対する容置空間（１１１）（１１２）（１１３）の隔壁（１１）とが密着嵌合できる構造により、容置空間（１１１）（１１２）（１１３）内の液体が漏れ出すことを防ぐことができることを特徴とする餐箱。
【請求項２】
該容器（１０）は容置空間（１１１）（１１２）（１１３）周縁の隔壁（１１）上に第一嵌合部を有し、
該第一嵌合部は隔壁（１１）の内壁面上に１つの階段部（１４）を具備し、
該蓋（２０）の下表面（２２）は容器（１０）の第一嵌合部に相対する１つの第二嵌合部を有し、
上記構造により蓋（２０）を容器（１０）に嵌合させる時、蓋（２０）の底部（２２１）及び周辺（２２２）は容器（１０）の階段部（１４）にしっかり嵌まる為、蓋（２０）を容器（１０）に密着嵌合させることができることを特徴とする請求項１記載の餐箱。
【請求項３】
上記構造中、該第一嵌合部は隔壁（１１）の上端面に設置されてもよく、
且つ、蓋（２０）の下表面に第二嵌合部が該第一嵌合部に相対するよう設置されることにより、密着嵌合を達成する構造により、容置空間（１１１）（１１２）（１１３）内の液体が漏れ出すことを防ぐことができることを特徴とする請求項１記載の餐箱。
【請求項４】
蓋（２０）の上表面（２１）の複数の凹槽区（２３ａ）（２３ｂ）（２３ｃ）は餐具、調味料（４２）等を収置することもできることを特徴とする請求項１記載の餐箱。
【請求項５】
餐箱（１）の蓋（２０）の複数の凹槽区（２３ａ）（２３ｂ）（２３ｃ）及び容器（１０）の複数の容置空間（１１１）（１１２）（１１３）の外側を隔熱材質（５０）（５０ａ）で覆うことにより、餐箱（１）の保温、保冷、或いは保鮮することができることを特徴とする請求項１記載の餐箱。
【請求項６】
該隔熱材質（５０）（５０ａ）は発泡スチロールであることを特徴とする請求項１記載の餐箱。
【請求項７】
該容器（１０）は外周に凸片（６０）を有し、
該凸片（６０）は亀裂線（６１）を有し、該亀裂線（６１）に沿って、切り離すことにより、取手を形成することができることを特徴とする請求項１記載の餐箱。
【請求項８】
該蓋（２０）は外周に１つの凸壁（２５）を形成し、
該凸壁（２５）の内壁面に１つの凹みぞ（２５１）を有することにより、１つの片体（２７）を嵌入させ、蓋（２０）の上表面（２１）を封鎖することができることを特徴とする請求項１記載の餐箱。
【請求項９】
該片体（２７）表面には広告文字或いは図案（２７１）を印刷することもできることを特徴とする請求項１記載の餐箱。
【請求項１０】
１つの容器（１０）と容器（１０）上部に嵌合される１つの蓋（２０）とを含み、
該容器（１０）は内部に隔壁（１１）を有することにより、隔離された複数の容置空間（１１１）（１１２）（１１３）を具備することができ、
該複数の容置空間のうち、１つの容置空間（１１３）にはスープを入れることができ、
その他の容置空間（１１１）（１１２）にはご飯或いはおかずを入れることができ、
該蓋（２０）は１つの上表面（２１）と１つの下表面（２２）とを含み、
その特徴は、
該容器（１０）は少なくともスープを入れる容置空間の隔壁（１１）上に第一嵌合部を有し、
且つ、該第二嵌合部が蓋（２０）の該第一嵌合部に相対するよう設置されることにより、
容器（１０）と蓋（２０）とを嵌合させた時、密着嵌合でき、中のスープが漏れ出すことを防ぐことができることを特徴とする餐箱。
【請求項１１】
該第一嵌合部は隔壁（１１）の内壁面上に１つの階段部（１４）を具備し、
且つ、蓋（２０）の下表面に第二嵌合部が該第一嵌合部に相対するよう設置されることにより、密着嵌合を達成することができることを特徴とする請求項１０記載の餐箱。
【請求項１２】
該容器（１０）は容置空間（１１１）（１１２）（１１３）周縁の隔壁（１１）上に第一嵌合部を有し、
該蓋（２０）の下表面（２２）は容器（１０）の第一嵌合部に相対する１つの第二嵌合部を有し、
上記構造中、該第一嵌合部は隔壁（１１）の上端面に設置されてもよく、
且つ、該第二嵌合部が蓋（２０）の該第一嵌合部に相対するよう設置されることにより、密着嵌合を達成することもできることを特徴とする請求項１０記載の餐箱。
【考案の詳細な説明】
【技術分野】
【０００１】
本考案は一種の餐箱（１）に係るものであり、特に、別々に入れたスープ或いはおかずの汁が外に漏れ出したり或いは混ざり合ったりすることがない一種の弁当箱或いは類似の食器に係る。
【背景技術】
【０００２】
従来の外食産業に使用される餐箱はPP材質が主で、その構造は複数の隔離空間の中に主食やおかずが入れられ、弁当として提供されるが、該餐箱は下記の欠点があり、改良が待たれている。
【０００３】
スープと弁当を別々に容器に入れる必要がある為、
１．包装するのに時間がかかる。
２．収置空間をより必要とし、携帯に不便である。
３．製造コストがかかる。
４．弁当の中にスープを直接入れることができない。
（汁物は別に蓋付きの容器或いは密封パックに入れられる。）
５．おかずの汁が外に漏れ出したり、或いは、別のおかず或いはご飯と混ざり合ったりする。
【考案の開示】
【考案が解決しようとする課題】
【０００４】
本考案の主な目的は、一種の餐箱（１）の構造を提供するもので、該餐箱(1)は少なくとも１つのスープを入れることができる容置空間を有し、且つ、容置空間内の液体が漏れ出すことがない構造を具備する。
【０００５】
本考案のもう１つの目的は、該餐箱（１）は別々に入れたスープ或いはおかずの汁が外に漏れ出したり、或いは、混ざり合ったりすることがない構造を具備する。
【０００６】
又、本考案の更にもう１つの目的は、該餐箱（１）は保温、保冷、或いは保鮮することができる構造を具備する。
【０００７】
又、本考案の又、もう１つの目的は、該餐箱（１）上に取手を形成することができ、簡単に携帯することができる構造を具備する。
【課題を解決するための手段】
【０００８】
前記の目的を図るために、該餐箱（１）は１つの容器（１０）と容器（１０）上部に嵌合される１つの蓋（２０）とを含み、
該容器（１０）は内部に隔壁（１１）を有することにより、隔離された複数の容置空間（１１１）（１１２）（１１３）を具備することができ、
該複数の容置空間のうち、１つの容置空間(113)にはスープを入れることができ、その他の容置空間（１１１）（１１２）にはご飯或いはおかずを入れることができ、
又、該蓋（２０）は容器（１０）の各容置空間（１１１）（１１２）（１１３）に相対する位置に凹槽区(23a)(23b)(23c)を有し、
該蓋(20)の凹槽区(23a)(23b)(23c)の底部(221)及び周辺(222)と容器(10)の凹槽区(23a)(23b)(23c)に相対する容置空間（１１１）（１１２）（１１３）の隔壁(11)とが密着嵌合できる構造により、容置空間（１１１）（１１２）（１１３）内の液体が漏れ出すことを防ぐことができる。
【考案の効果】
【０００９】
１．本考案の餐箱（１）の構造は、蓋（２０）を容器（１０）に嵌合させる時、蓋（２０）の底部（２２１）及び周辺（２２２））は容器（１０）の階段部（１４）にしっかり嵌まる為、蓋（２０）を容器（１０）に密着嵌合させることができ、
各容置空間（１１１）（１１２）（１１３）内の液体が外に漏れ出したり、或いは、混ざり合ったりすることがない。
２．本考案の餐箱（１）は、直接にスープを入れることができ、
且つ、該第二嵌合部が蓋（２０）の該第一嵌合部に密着嵌合を達成することにより、餐箱（１）を迅速に嵌合させたり、或いは取り外したりすることができ、別に用意していた蓋付きの容器、或いは、密封パックのコストと包装する時間を節省することができる。
３．該第二嵌合部が蓋（２０）の該第一嵌合部に相対するよう設置されることにより、密着嵌合を達成することができ、
各容置空間（１１１）（１１２）（１１３）内の汁や匂いがお互いに混ざり合うことがない。
４．該餐箱（１）の材質は使い捨ても可能なＰＰでもよく、或いは、繰り返し使用が可能なその他の材質でもよい。
５．該餐箱（１）の外部は隔熱材質（５０）（５０ａ）で覆うことにより、餐箱（１）の保温、保冷、或いは保鮮することができる。
６．該餐箱（１）上には取手を形成することができ、簡単に携帯することができる。
【００１０】
上記構造により別々に入れたスープ或いはおかずの汁が、外に漏れ出したり、或いは、混ざり合ったりすることがない一種の餐箱(1)を提供することができる。
【考案を実施するための最良の形態】
【００１１】
以下に添付図面を参照して本考案のある好適な実施の形態を詳細に説明するが、それらの構成は本考案の構造の絶対的な制限にならない。
【００１２】
図1、2、3A、3Bは本考案の比較的よい実施例の餐箱(1)の分解図、組み合わせ図、及び断面図で、該餐箱(1)は１つの容器(10)と容器(10)上部に嵌合される１つの蓋(20)とを含み、
該容器(10)は内部に隔壁(11)を有することにより、隔離された複数の容置空間（１１１）（１１２）（１１３）を具備することができ、
各容置空間（１１１）（１１２）（１１３）は１つの第一高度(H)を有することにより、主食（ご飯或いは麺）或いはおかずを入れることができ、
且つ、１つの容置空間(113)にはスープ或いは汁物を入れることができ、
該蓋(20)は容器(10)の各容置空間（１１１）（１１２）（１１３）に相対する位置に凹槽区（２３ａ）（２３ｂ）（２３ｃ）を有し、
該凹槽区（２３ａ）（２３ｂ）（２３ｃ）は第二高度(h)を有し、
該第二高度(h)は該第一高度(H)より小さい設計により各容置空間（１１１）（１１２）（１１３）は食べ物を入れるのに充分な空間を有することができ、
該蓋(20)の凹槽区（２３ａ）（２３ｂ）（２３ｃ）の底部（２２１）及び周辺（２２２）と容器（１０）の凹槽区（２３ａ）（２３ｂ）（２３ｃ）に相対する容置空間（１１１）（１１２）（１１３）の隔壁(11)とが密着嵌合できる構造により、容置空間（１１１）（１１２）（１１３）内の液体が漏れ出すことを防ぐことができる。
【００１３】
上記構造中、該蓋（２０）と該容器（１０）は密着嵌合することができ、その構造は、該容器（１０）は容置空間（１１１）（１１２）（１１３）周縁の隔壁（１１）上に第一嵌合部を有し、
該第一嵌合部は隔壁（１１）の内壁面上に１つの階段部（１４）を具備し、
該階段部（１４）は１つの第一平面（１４１）と第二平面（１４２）とを有し、
第一平面（１４１）と第二平面（１４２）との間の角度は鋭角（θ1）であり、
該鋭角（θ1）の角度は８０〜８９度が好ましく、
該蓋（２０）は１つの上表面（２１）と１つの下表面（２２）とを含み、
該蓋（２０）の下表面（２２）は容器（１０）)の第一嵌合部に相対する１つの第二嵌合部を有し、
該第二嵌合部は１つの底部（２２１）と１つの周辺（２２２）とを有し、
該底部（２２１）の延長線と該周辺（２２２）との間の角度は鈍角（θ２）であり、
該鈍角（θ２）と該鋭角（θ1）とは互補角度（θ１ ＋θ２= 180°）であり、
上記構造により蓋（２０）を容器（１０）に嵌合させる時、蓋（２０）の底部（２２１）及び周辺（２２２）は容器（１０）)の階段部（１４）にしっかり嵌まる為、蓋（２０）を容器（１０）に密着嵌合させることができ、
各容置空間（１１１）（１１２）（１１３）内の液体が外に漏れ出したり、或いは、混ざり合ったりすることがない。
【００１４】
上記構造中、該第一嵌合部は隔壁（１１）の上端面に設置されてもよく、
且つ、該第二嵌合部が蓋（２０）の該第一嵌合部に相対するよう設置されることにより、密着嵌合を達成することもできる（図に示していない）。
【００１５】
図４が示す如く、餐箱（１）の蓋（２０）の複数の凹槽区（２３ａ）（２３ｂ）（２３ｃ）及び容器(10)の複数の容置空間（１１１）（１１２）（１１３）の外側を隔熱材質(50)(50a)により覆うことにより、餐箱（１）の保温、保冷、或いは保鮮することができ（該隔熱材質（５０）（５０ａ）は発泡スチロールでもよく、その他の材質でもよい）、
上記構造によりアイスクリーム等を入れる容器としても使用することができる。
【００１６】
図５が示す如く、蓋（２０）の上表面（２１）の複数の凹槽区（２３ａ）（２３ｂ）（２３ｃ）はティッシュ（４４）、餐具（例：箸（４０）、スプーン（４１）等）、調味料（４２）、及び爪楊枝（４３）等を収置することもできる。
【００１７】
図６が示す如く、該蓋（２０）は外周に１つの凸壁（２５）を形成し、
該凸壁（２５）の内壁面に１つの凹みぞ（２５１）を有することにより、１つの片体（２７）を嵌入させ、蓋（２０）の上表面(2（２１）を封鎖することができ、
上記により餐具を清潔に保持し、且つ、凹槽区（２３ａ）（２３ｂ）（２３ｃ）内の物品（餐具、調味料（４２）等）が散乱したり落下したりするのを防ぐことができる。
又、該片体（２７）表面には広告文字或いは図案（２７１）を印刷することもできる。
【００１８】
又、図１に示す如く、容器（１０）は外周に凸片（６０）を有し、
該凸片（６０）は亀裂線（６１）を有し、該亀裂線（６１）に沿って、切り離すことにより、取手を形成することができ（図７）、
該亀裂線（６１）は製造時、凸片（６０）の予定位置を特に薄くプレスすることにより、該凸片（６０）を切り離しやすい構造を形成することもできる。
【００１９】
上記構造により該餐箱（１）は固体状或いは液体状に限らず、収置することができ、
複数の容置空間（１１１）（１１２）（１１３）内の汁や匂いがお互いに混ざり合うことなく、
又、保鮮容器として使用することもできる。
上記により該餐箱（１）は一種の携帯式該餐箱（１）として使用することもできる。
【００２０】
又、図８が示す如く、容器(10)の容置空間（１１１）（１１２）（１１３）を形成する複数の各底部間の空間形状は該蓋（２０）)の凹槽区（２３ａ）（２３ｂ）（２３ｃ）と相対する形状であることにより、複数の該容器（１０）を重ねることができ、
図９に示す如く、実際使用時、複数の容器(10)に主食及びおかずを入れ、各容器（１０）を積み重ね、最上面に蓋（２０）を設置することもできる。
【００２１】
該餐箱(1)の材質は電子レンジが使用でき、且つ、使い捨ても可能なPPでもよく、或いは、繰り返し使用が可能なその他の材質でもよい。
【００２２】
上記は本考案の考案実施例について本創作の技術及び特徴を具体に説明するもので、熟知した技術者が本創作の延長線上で修正作業を行なっても本考案の権利範囲内である。
【図面の簡単な説明】
【００２３】
【図１】本考案の餐箱（１）を示す立体分解図である。
【図２】本考案の餐箱（１）を示す立体組み合わせ図である。
【図３Ａ】本考案の餐箱（１）を示す餐箱（１）の容器（１０）と蓋（２０）との相互嵌合を示す図である。
【図３Ｂ】本考案の餐箱（１）を示す餐箱（１）の容器（１０）と蓋（２０）との相互嵌合を示す図である。
【図４】図１の断面図であり、餐箱（１）の外部を隔熱材質（５０）（５０ａ）で覆った状態を示す図である。
【図５】本考案の凹槽区（２３ａ）（２３ｂ）（２３ｃ）に餐具等を収置した状態を示す図である。
【図６】図５の局部拡大図である。
【図７】本考案の餐箱（１）に取手を形成した状態を示す図である。
【図８】本考案の餐箱（１）を複数個重ねた状態を示す図である。
【図９】本考案のもう１つの使用状態分解図である。
【符号の説明】
【００２４】
１  餐箱
１０  容器
１１  隔壁
１１１，１１２，１１３  容置空間
１４  階段部
１４１  第一平面
１４２  第二平面
２０  蓋
２１  上表面
２２  下表面
２２１  底部
２２２  周辺
２３ａ，２３ｂ，２３ｃ  凹槽区
２５  凸壁
２５１  凹みぞ
２７  片体
２７１  広告文字或いは図案
４０  箸
４１  スプーン
４２  調味料
４３  爪楊枝
４４  ティッシュ
５０，５０ａ  隔熱材質
６０  凸片
６１  亀裂線
Ｈ  第一高度
ｈ  第二高度
θ１  鋭角
θ２  鈍角
【図１】
0003116507.tif 000003
【図２】
0003116507.tif 000004
【図３Ａ】
0003116507.tif 000005
【図３Ｂ】
0003116507.tif 000006
【図４】
0003116507.tif 000007
【図５】
0003116507.tif 000008
【図６】
0003116507.tif 000009
【図７】
0003116507.tif 000010
【図８】
0003116507.tif 000011
【図９】
0003116507.tif 000012